(57)【要約】【課題】  リストを操作しやすくする。【解決手段】複数のページを有するリストを表示する画像表示装置は、前記リストを表示する画面の上端に上端項目を表示し、かつ、前記画面の下端に下端項目を表示する項目表示部と、前記上端項目を上方向へなぞる操作又は前記上端項目に対する上方向へのフリック操作が入力されると、前記リストの前ページを表示する第１表示部と、前記下端項目を下方向へなぞる操作又は前記下端項目に対する下方向へのフリック操作が入力されると、前記リストの次ページを表示する第２表示部とを含むことを特徴とする。【選択図】図１
2018120315.tif 000002
【特許請求の範囲】
【請求項１】
複数のページを有するリストを表示する画像表示装置であって、
前記リストを表示する画面の上端に上端項目を表示し、かつ、前記画面の下端に下端項目を表示する項目表示部と、
前記上端項目を上方向へなぞる操作又は前記上端項目に対する上方向へのフリック操作が入力されると、前記リストの前ページを表示する第１表示部と、
前記下端項目を下方向へなぞる操作又は前記下端項目に対する下方向へのフリック操作が入力されると、前記リストの次ページを表示する第２表示部と
を含む画像表示装置。
【発明の詳細な説明】
【技術分野】
【０００１】
本発明は、画像表示装置に関する。
【背景技術】
【０００２】
従来、車両には、カーナビゲーション装置等の様々な電子機器が搭載されることが多い。そして、これらの電子機器をドライバが操作するために、例えば、リストを表示する方法が知られている。
【０００３】
例えば、リストを表示した画面において、リストをページ単位でスクロールさせるため、まず、操作装置が、「前頁」及び「後頁」と記載されているボタンを画面上に表示する。そして、ボタンがタッチ操作されると、操作装置がページ単位でリストをスクロールする技術が知られている（例えば、特許文献１等である）。
【０００４】
他にも、まず、画面上に、スクロール制御装置が、リストをドラム状に表示する。そして、タッチパネル上において、ユーザによって、いわゆるなぞり操作が行われると、スクロール制御装置は、なぞり操作が行われた方向へリストをスクロールさせる。このようにして、タッチパネルのなぞり操作を行いやすくする技術が知られている（例えば、特許文献２等である）。
【先行技術文献】
【特許文献】
【０００５】
【特許文献１】特開２００８−１４６４５４号公報
【特許文献２】特開２０１３−１４０４１６号公報
【発明の概要】
【発明が解決しようとする課題】
【０００６】
しかしながら、従来の技術では、リストを操作するのに、ボタンにカーソルを合わせるのが煩わしいといった使いにくいインタフェースである場合が多い。
【０００７】
そこで、本発明の実施形態に係る画像表示装置は、リストを操作しやすくすることを目的にする。
【課題を解決するための手段】
【０００８】
一側面によれば、複数のページを有するリストを表示する画像表示装置は、前記リストを表示する画面の上端に上端項目を表示し、かつ、前記画面の下端に下端項目を表示する項目表示部と、前記上端項目を上方向へなぞる操作又は前記上端項目に対する上方向へのフリック操作が入力されると、前記リストの前ページを表示する第１表示部と、前記下端項目を下方向へなぞる操作又は前記下端項目に対する下方向へのフリック操作が入力されると、前記リストの次ページを表示する第２表示部とを含む。
【０００９】
画像表示装置は、項目表示部によって上端項目及び下端項目を表示することができる。そして、上端項目を上方向へなぞる操作又は上端項目に対する上方向へのフリック操作が入力されると、画像表示装置は、第１表示部によって、前ページを表示する。一方で、下端項目を下方向へなぞる操作又は下端項目に対する下方向へのフリック操作が入力されると、画像表示装置は、第１表示部によって、次ページを表示する。このようにして、画像表示装置は、ページ単位でリストをスクロールさせる。このような構成では、ボタンにカーソルを合わせる操作等が不要であるため、画像表示装置は、ドライバがリストを操作しやすいインタフェースを提供できる。
【発明の効果】
【００１０】
リストを操作しやすくできる。
【図面の簡単な説明】
【００１１】
【図１】本発明の実施形態に係る画像表示装置の全体構成例及びハードウェア構成例を示す概要図である。
【図２】本発明の実施形態に係る画像表示装置によって表示されるリスト及び処理結果の一例を示す図である。
【図３】本発明の実施形態に係る画像表示装置によって表示されるリスト及び処理結果の変形例を示す図である。
【発明を実施するための形態】
【００１２】
＜全体構成例及びハードウェア構成例＞
図１は、本発明の実施形態に係る画像表示装置の全体構成例及びハードウェア構成例を示す概要図である。例えば、画像表示装置ＩＭは、タッチパッドＴＰＤと、演算装置ＣＭＡと、項目表示部、第１表示部及び第２表示部の例となるディスプレイ装置ＤＩＳとを含む構成である。
【００１３】
タッチパッドＴＰＤは、図示するように、ドライバの指ＦＧが接触すると、センサによって、指ＦＧが接触した位置を検出する。例えば、タッチパッドＴＰＤは、座標等によって、検出結果を演算装置ＣＭＡに通知する。また、タッチパッドＴＰＤは、入力装置である。このように、タッチパッドＴＰＤは、ドライバからの入力操作を受け付ける。具体的には、ドライバは、タッチパッドＴＰＤに対して、フリック操作、画面上にあるカーソルＣＵＲを移動させる操作又は画面上に表示されるリストＬＩＳを変更するため、画面をなぞる操作等を行う。
【００１４】
演算装置ＣＭＡは、例えば、ＣＰＵ（Ｃｅｎｔｒａｌ  Ｐｒｏｃｅｓｓｉｎｇ  Ｕｎｉｔ）及びメモリ等を有する装置である。そして、演算装置ＣＭＡは、タッチパッドＴＰＤから通知される検出結果に基づいて、座標の変化等を計算する。次に、座標の変化量から、演算装置ＣＭＡは、なぞり操作又はフリック操作等が入力されたかを判定する。他にも、演算装置ＣＭＡは、座標等から、カーソルＣＵＲを移動させる量等を計算する。
【００１５】
ディスプレイ装置ＤＩＳは、例えば、図示するようなリストＬＩＳ等のＧＵＩ（Ｇｒａｐｈｉｃａｌ  Ｕｓｅｒ  Ｉｎｔｅｒｆａｃｅ）を表示する出力装置である。以下、図示するように、５個の項目（図における「項目１」乃至「項目５」である。）を１ページとするリストＬＩＳが表示される場合を例に説明する。
【００１６】
また、この例では、ドライバは、タッチパッドＴＰＤ上で指ＦＧを動かしてカーソルＣＵＲを移動させる。このような操作によって、ドライバは、リストＬＩＳにある複数の項目から、１つの項目を選択する。
【００１７】
なお、ドライバが、タッチパッドＴＰＤを使用して操作する構成に限られない。例えば、ディスプレイ装置ＤＩＳがタッチパネルである場合には、ドライバが、ディスプレイ装置ＤＩＳの画面を指ＦＧで触って操作する構成でもよい。
【００１８】
さらに、以下の説明では、図示するリストＬＩＳにおいて、「項目１」が表示される箇所を上端とし、「項目１」を上端項目とする。同様に、図示するリストＬＩＳにおいて、「項目５」が表示される箇所を下端とし、「項目５」を下端項目とする。また、以下の説明では、リストＬＩＳに合計３０個の項目があるとする。この例では、ディスプレイ装置ＤＩＳ上には、１ページ単位、すなわち、５個ずつ項目が表示されるため、最初に表示されるページ（以下「最初のページ」という。）には、図示するように、「項目１」乃至「項目５」の項目が表示されるとする。
【００１９】
そして、最初のページの次のページ（以下単に「次ページ」という。）には、最初のページに表示される項目の続きとなる「項目６」乃至「項目１０」の項目が表示される。一方で、この例では、最初のページは、最終ページと続いている構成であるとする。つまり、最初のページの前ページには、「項目２６」乃至「項目３０」の項目が表示される。以下、最初のページに表示されるリストＬＩＳに対して操作を行う場合を例に説明する。
【００２０】
図２は、本発明の実施形態に係る画像表示装置によって表示されるリスト及び処理結果の一例を示す図である。以下、初期画面が図２（Ａ）に示すような画面である場合を例に説明する。
【００２１】
具体的には、初期画面では、リストＬＩＳには、最初のページが表示される。図示するように、初期画面では、リストＬＩＳには、「項目１」乃至「項目５」が表示される。そして、初期画面では、カーソルＣＵＲは、「項目３」の位置にあるとする。また、図示するように、タッチパッドＴＰＤ上で指ＦＧによって操作が行われると、カーソルＣＵＲは、移動する。
【００２２】
なお、初期画面において、図示するように、上端及び下端の付近に、矢印が表示されると、ドライバは、直感的にどういった操作を行えばよいかが分かりやすい。さらに、アニメーション等を用いて、移動する方向が表示されると、ドライバは、直感的にどういった操作を行えばよいかが分かりやすい。
【００２３】
＜次ページへ切り替え操作例＞
以下、図２（Ａ）乃至図２（Ｃ）を参照して、最初のページから、次ページに切り替える場合を説明する。まず、図２（Ａ）に示す最初のページでは、次ページに切り替えるため、ドライバは、カーソルＣＵＲを下端項目に合わせるように操作する。このような操作が行われると、図２（Ｂ）に示すように、カーソルＣＵＲは、「項目５」の位置に移動する。
【００２４】
そして、カーソルＣＵＲが「項目５」の位置にある状態で、ドライバは、タッチパッドＴＰＤにおいて、図２（Ｂ）に示すように、下方向ＤＷへなぞる操作を行う。なお、カーソルＣＵＲが「項目５」の位置にある状態で、ドライバは、タッチパッドＴＰＤにおいて、下方向ＤＷへフリック操作を行ってもよい。
【００２５】
カーソルＣＵＲが「項目５」の位置にある状態で、下方向ＤＷへなぞる操作が行われると、ディスプレイ装置ＤＩＳが表示する画面は、例えば、図２（Ｃ）に示すような画面となる。
【００２６】
図２（Ｃ）は、図２（Ｂ）と比較すると、表示されるページが、最初のページから次ページに切り替わっている点が異なる。具体的には、図２（Ｃ）では、リストＬＩＳには、「項目６」乃至「項目１０」が表示される。また、カーソルＣＵＲは、「項目１０」の位置となり、下端項目の位置に維持される。
【００２７】
つまり、図２（Ｂ）に示す画面において、下端項目を下方向ＤＷへなぞる操作又は下端項目に対して下方向ＤＷへのフリック操作が入力されると、最初のページは、１ページ分、次にスクロールして、次ページに切り替わる。
【００２８】
なお、図２（Ａ）において最終ページが表示されている場合には、カーソルＣＵＲが下端項目にある状態で、下方向ＤＷへなぞる操作等が行われると、最終ページは、例えば、最初のページに切り替わるでもよい。
【００２９】
＜前ページへ切り替え操作例＞
以下、図２（Ａ）、図２（Ｄ）及び図２（Ｅ）を参照して、最初のページから、前ページに切り替える場合を説明する。なお、最初のページの前ページは、「項目２６」乃至「項目３０」がある最終ページとする。まず、図２（Ａ）に示す最初のページでは、前ページに切り替えるため、ドライバは、カーソルＣＵＲを上端項目に合わせるように操作する。このような操作が行われると、図２（Ｄ）に示すように、カーソルＣＵＲは、「項目１」の位置に移動する。
【００３０】
そして、カーソルＣＵＲが「項目１」の位置にある状態で、ドライバは、タッチパッドＴＰＤにおいて、図２（Ｄ）に示すように、上方向ＵＰへなぞる操作を行う。なお、カーソルＣＵＲが「項目１」の位置にある状態で、ドライバは、タッチパッドＴＰＤにおいて、上方向ＵＰへフリック操作を行ってもよい。
【００３１】
カーソルＣＵＲが「項目１」の位置にある状態で、上方向ＵＰへなぞる操作が行われると、ディスプレイ装置ＤＩＳが表示する画面は、例えば、図２（Ｅ）に示すような画面となる。
【００３２】
図２（Ｅ）は、図２（Ｄ）と比較すると、表示されるページが、最初のページから前ページに切り替わっている点が異なる。具体的には、図２（Ｅ）では、リストＬＩＳには、「項目２６」乃至「項目３０」が表示される。また、カーソルＣＵＲは、「項目２６」の位置となり、上端項目の位置に維持される。
【００３３】
つまり、図２（Ｄ）に示す画面において、上端項目を上方向ＵＰへなぞる操作又は上端項目に対して上方向ＵＰへフリック操作が入力されると、最初のページは、１ページ分、前にスクロールして、前ページに切り替わる。
【００３４】
＜次ページへ切り替え操作の変形例＞
以下、図２（Ａ）乃至図２（Ｃ）に示すようなページスクロールにおいて、表示している以外の項目数が、１ページ分に満たない場合の例を説明する。例えば、リストＬＩＳに、合計７個の項目があるとする。図２に示す例では、項目は、合計３０個であるため、表示している５個の項目以外に、項目は、２５個ある。そのため、図２に示す例は、表示している以外の項目数が、１ページ分以上ある場合となる。一方で、以下に説明する例は、合計７個の項目であるため、リストＬＩＳには、２ページ分の項目がない場合である。
【００３５】
図３は、本発明の実施形態に係る画像表示装置によって表示されるリスト及び処理結果の変形例を示す図である。まず、次ページへ切り替え操作について、図３（Ａ）乃至図３（Ｃ）を参照して説明する。
【００３６】
最初に、図３（Ａ）に示すように、ドライバが、図２（Ｂ）と同様の操作を行ったとする。このような操作が行われると、ディスプレイ装置ＤＩＳが表示する画面は、例えば、図３（Ｂ）に示すような画面となる。
【００３７】
具体的には、図３（Ｂ）では、リストＬＩＳには、「項目３」乃至「項目７」が表示される。図２（Ｃ）では、リストＬＩＳには、「項目６」乃至「項目１０」が表示されたが、図３に示す例では、項目は、「項目７」までしかないため、最終の項目となる「項目７」が下端に表示されるように、リストＬＩＳが表示される。
【００３８】
次に、図３（Ｂ）に示すような状態において、ドライバが、更に図２（Ｂ）と同様の操作を行うと、図３（Ｃ）に示すように、最初のページが表示される。図３（Ｃ）に示す処理は、いわゆるリングスクロールである。そのため、図３（Ｂ）に示すような状態において、図２（Ｂ）と同様の操作が行われると、リストＬＩＳは、１周し、最初のページとなる。
【００３９】
＜前ページへ切り替え操作の変形例＞
以下、図３（Ａ）乃至図３（Ｃ）と同様に、リストＬＩＳに、合計７個の項目がある場合であって、前ページに切り替える場合の例を図３（Ｄ）乃至図３（Ｆ）を参照して説明する。
【００４０】
最初に、図３（Ｄ）に示すように、ドライバが、図２（Ｄ）と同様の操作を行ったとする。このような操作が行われると、ディスプレイ装置ＤＩＳが表示する画面は、例えば、図３（Ｅ）に示すような画面となる。
【００４１】
具体的には、図３（Ｅ）では、リストＬＩＳには、「項目１」乃至「項目５」が表示される。図２（Ｅ）では、リストＬＩＳには、「項目２６」乃至「項目３０」が表示されたが、図３に示す例では、項目は、「項目７」までしかないため、最初の項目となる「項目１」が上端に表示されるように、リストＬＩＳが表示される。
【００４２】
次に、図３（Ｅ）に示すような状態において、ドライバが、更に図２（Ｄ）と同様の操作を行うと、図３（Ｆ）に示すように、図３（Ｄ）と同様のページが表示される。図３（Ｆ）に示す処理は、いわゆるリングスクロールである。そのため、図３（Ｅ）に示すような状態において、図２（Ｄ）と同様の操作が行われると、リストＬＩＳは、１周し、図３（Ｄ）と同様のページとなる。
【００４３】
なお、以上のような操作が行われた際に、２ページ以上ページが切り替わるように設定されてもよい。
【００４４】
以上のように、カーソルＣＵＲが上端項目又は下端項目にある場合において、上方向又は下方向へなぞる操作が行われると、画像表示装置は、ページ単位でリストＬＩＳをスクロールさせる。一方で、カーソルＣＵＲが上端項目又は下端項目以外の位置にある場合では、画像表示装置は、例えば、カーソルＣＵＲを上下に移動させる。
【００４５】
また、例えば、図２（Ａ）に示す状態において、リストＬＩＳに「項目２」乃至「項目６」を表示させるようにする場合には、ドライバは、スクロールバーＳＲＢ等が使用して下方向へスクロールさせる操作を行う。つまり、スクロールバーＳＲＢを用いた操作が行われた場合には、画像表示装置は、ページ単位でリストＬＩＳをスクロールさせるのではなく、例えば、１個ずつ項目が切り替わるように表示する。
【００４６】
なぞる操作は、ドライバが画面を直接触れる、すなわち、タッチパネル等でないと、採用できない場合がある。そのため、図１に示すように、タッチパッド等を用いて遠隔操作を行うような場合では、なぞる操作では、ページ単位のスクロールができない場合がある。一方で、上記のような画像表示装置の構成とすると、ドライバは、なぞる操作によって、ページ単位のスクロールを行うことができる。
【００４７】
また、ボタン等のＧＵＩを用いて、ページ単位のスクロールを行う構成は、タッチパッドを用いる構成では、採用できない場合がある。また、ボタンにカーソルを合わせる操作は、走行中等では、危険な操作となる場合がある。
【００４８】
一方で、上記のような画像表示装置の構成とすると、ドライバは、ボタン等にカーソルを合わせる操作が不要となる。したがって、以上のような構成とすると、画像表示装置は、ページ単位でスクロールでき、かつ、連続してスクロールさせやすいインタフェースをドライバに提供することができる。また、ドライバは、カーソルをボタンに合わせる等の煩わしい操作を減らすことができる。
【００４９】
以上、本発明の好ましい実施例について説明したが、本発明は、説明した実施形態に限定されるものではなく、特許請求の範囲に記載された本発明の要旨の範囲内において、種々の変形又は変更が可能である。
【符号の説明】
【００５０】
ＩＭ  画像表示装置
ＬＩＳ  リスト
ＣＵＲ  カーソル
ＤＩＳ  ディスプレイ装置
ＵＰ  上方向
ＤＷ  下方向
【図１】
2018120315.tif 000003
【図２】
2018120315.tif 000004
【図３】
2018120315.tif 000005